(57)【要約】【課題】電話帳データベースのメンテナンスを自動的に行う。【解決手段】携帯電話機１は、通信相手先の個人電話帳データを格納する電話帳データベースを記憶する内部メモリ１２と、別の電話帳データベースを記憶する着脱可能な記憶媒体である外部メモリ１３と、装置の通信動作が行われる際、内部メモリ１２内の電話帳データベースから通信相手の個人電話帳データを読み出し、その個人電話帳データを基にその通信相手との通信を行うとともに、外部メモリ１３内の電話帳データベースにその個人電話帳データを格納させる制御を行う制御部１１と、を有する。【選択図】図１
2009044618.tif 000002
【特許請求の範囲】
【請求項１】
通信相手先の宛先データを格納する第１の宛先データベースを記憶する記憶手段と、
第２の宛先データベースを記憶する着脱可能な記憶媒体と、
装置の通信動作が行われる際、前記第１の宛先データベースから通信相手の宛先データを読み出し、前記宛先データを基に前記通信相手との通信を行うとともに、前記第２の宛先データベースに前記宛先データを格納させる制御を行う制御手段と、
を有することを特徴とする通信装置。
【請求項２】
前記制御手段は、装置の通信動作が行われる際、前記第２の宛先データベースから、通信相手の宛先データを読み出し、前記宛先データを基に前記通信相手との通信を行うことを特徴とする請求項１記載の通信装置。
【請求項３】
前記第２の宛先データベースは、格納している宛先データ毎に、前記宛先データを最後に利用した日時情報を紐付けて格納し、
前記日時情報を参照して得られる、所定の一定期間を過ぎた宛先データを、自動的に削除することを特徴とする請求項１又は２記載の通信装置。
【請求項４】
前記通信動作は、音声通信の発信、着信、データ通信の発信、着信のうち、少なくともいずれかを含む動作であることを特徴とする請求項１から３のいずれか１項記載の通信装置。
【請求項５】
通信相手先の宛先データを格納する第１の宛先データベースを記憶する工程と、
装置の通信動作が行われる際、前記第１の宛先データベースから通信相手の宛先データを読み出し、前記宛先データを基に前記通信相手との通信を行うとともに、着脱可能な記憶媒体が記憶する第２の宛先データベースに前記宛先データを格納させる工程と、
を含むことを特徴とする通信装置の制御方法。
【請求項６】
通信相手先の宛先データを格納する第１の宛先データベースを記憶する記憶手段と、第２の宛先データベースを記憶する着脱可能な記憶媒体と、を有する通信装置の制御手段に、
装置の通信動作が行われる際、前記第１の宛先データベースから通信相手の宛先データを読み出す手順と、
前記宛先データを基に前記通信相手との通信を行う手順と、
前記第２の宛先データベースに前記宛先データを格納させる手順と、
を実行させることを特徴とするプログラム。
【請求項７】
請求項６記載のプログラムを通信装置が読み取り可能な形式で記録したことを特徴とする記録媒体。
【発明の詳細な説明】
【技術分野】
【０００１】
本発明は、通信装置、通信装置の制御方法、プログラム及び記録媒体に関し、特に、通信装置の通信相手先の宛先データベースのメンテナンスの技術に関する。
【背景技術】
【０００２】
本発明に関連する技術としては、特許文献１ないし３に記載の技術がある。特許文献１に記載の携帯電話機は、記憶されている電話番号を古い順に、一定期間を過ぎると消去するものである。また、特許文献２には、外部のサーバコンピュータ内のデータベースに携帯通信端末の電話帳データベースを構築する技術が開示されている。また、特許文献３に記載の技術は、第１と第２の電話帳を備え、第２の電話帳には第１の電話帳に保存されている複数の通信相手のうちの一部の通信相手に関わる情報を保存する携帯端末である。しかしながら、いずれも本発明とは目的ないし構成が異なる。
【特許文献１】特開２００３−０６９６８６号公報
【特許文献２】特開２００３−２１９０１３号公報
【特許文献３】特許第３７８５１８３号公報
【発明の開示】
【発明が解決しようとする課題】
【０００３】
近年の携帯電話機においては、メモ帳代わりに友人・知人の名前／電話番号／メールアドレス等の個人電話帳データを１０００件近くまで保存できる内部メモリを搭載したモデルが主流となっている。
【０００４】
使用者（操作者ともいう）は携帯電話機１つで友人・知人の誰へでも連絡が可能で非常に便利であり、必要に応じて次々と個人電話帳データの登録が増されていく。それ故、使用者はその携帯電話機の万が一の故障に備えて、電話帳データベースのバックアップを行っておくことが非常に重要である。また、膨大となった電話帳データベースの中身のメンテナンスを怠ると、通常使用する際の通信相手選択時に、検索する手間が掛かり、キー操作が増すことによって操作性を煩わしく感じさせてしまうこととなる。
【０００５】
バックアップやメンテナンスの目的として、パソコンに携帯電話機をケーブル接続して電話帳データベースを保存する方法はあるが、すべての人がパソコンを所持しているとは限らない。
【０００６】
万人向けとして、一般的な携帯電話機では、ＳＩＭカード（Ｓｕｂｓｃｒｉｂｅｒ  Ｉｄｅｎｔｉｔｙ  Ｍｏｄｕｌｅ  Ｃａｒｄ：利用者識別等の個人ＩＤカード）やマイクロＳＤカード等の外部メモリカードへの個人電話帳データの保存が可能である。
【０００７】
しかし、膨大となった個人電話帳データの中身１つ１つを確認し、ＳＩＭカードや外部メモリへバックアップを行うことは、使用者にとって非常に煩わしい。しかし一方で、すべての個人電話帳データをバックアップしてしまえばメンテナンスにならない。
【０００８】
バックアップとメンテナンスを両立しつつ使用者の操作性向上を行う手段として、使用者が意識して個人電話帳データのバックアップ動作を実行しなくても、使用者が意識して個人電話帳データのバックアップ動作を実行しなくても、使用者が音声着信・音声発信・メール送信・メール受信した際に、その通信相手の個人電話帳データを自動でＳＩＭカードや外部メモリカードへ保存することを可能な機能を提案する。
【０００９】
上記動作を行うことで、使用者が操作なしに実際に現在でも音声発着信やメール送受信をする相手の個人電話帳データの保存が可能となり、必要最低限の個人電話帳データのバックアップと、メンテナンスされた電話帳データベース作成が実現できる。
【００１０】
本発明は、上記実情に鑑み、使用者による特別な操作を不要としながら、使用者が実際に現在でも連絡を取り合う相手の個人電話帳データのメンテナンスが可能な通信装置の提供を目的とする。
【課題を解決するための手段】
【００１１】
上記目的を達成するために本発明の通信装置は、通信相手先の宛先データを格納する第１の宛先データベースを記憶する記憶手段と、第２の宛先データベースを記憶する着脱可能な記憶媒体と、装置の通信動作が行われる際、前記第１の宛先データベースから通信相手の宛先データを読み出し、前記宛先データを基に前記通信相手との通信を行うとともに、前記第２の宛先データベースに前記宛先データを格納させる制御を行う制御手段と、を有することを特徴とする。
【００１２】
また、本発明の通信装置の制御方法は、通信相手先の宛先データを格納する第１の宛先データベースを記憶する工程と、装置の通信動作が行われる際、前記第１の宛先データベースから通信相手の宛先データを読み出し、前記宛先データを基に前記通信相手との通信を行うとともに、着脱可能な記憶媒体が記憶する第２の宛先データベースに前記宛先データを格納させる工程と、を含むことを特徴とする。
【００１３】
また、本発明のプログラムは、通信相手先の宛先データを格納する第１の宛先データベースを記憶する記憶手段と、第２の宛先データベースを記憶する着脱可能な記憶媒体と、を有する通信装置の制御手段に、装置の通信動作が行われる際、前記第１の宛先データベースから通信相手の宛先データを読み出す手順と、前記宛先データを基に前記通信相手との通信を行う手順と、前記第２の宛先データベースに前記宛先データを格納させる手順と、を実行させることを特徴とする。
【発明の効果】
【００１４】
本発明によれば、使用者による特別な操作を不要としながら、使用者が実際に現在でも連絡を取り合う相手の個人電話帳データのメンテナンスが可能になる。
【発明を実施するための最良の形態】
【００１５】
以下、本発明の好適な実施の形態について図面を参照して説明する。
【００１６】
［第１の実施形態］
図１は、本実施形態に係る携帯電話機１の主要な構成の概略を示すブロック図である。
本実施形態に係る携帯電話機１内部には制御部１１が設けられており、内部メモリ１２に記憶されている各種プログラムに従い携帯電話機１全体の動作の制御を行う。
【００１７】
内部メモリ１２には、各種プログラムや、使用者がキー操作部１８で入力を行った通信相手の電話番号や名前・メールアドレス等の個人電話帳データや機能のＯＮ／ＯＦＦの設定状態、発着信時の通信相手情報や時計部１５で検出された通信時間等の発着信履歴、送受信メール等の様々なデータが記憶される。各個人電話帳データは、データベース化されて、この内部メモリ１２内の電話帳データベースに格納されている。
【００１８】
ＳＩＭカードやマイクロＳＤカード等の外部メモリ１３には、内部メモリ１２のメモリ容量に応じて、使用者が撮影した画像データやダウンロードした音楽データが記憶されたり、バックアップを目的として、個人電話帳データや送受信メール、ブックマーク等が記憶されたりする。各個人電話帳データは、データベース化されて、この外部メモリ１３内の電話帳データベースに格納されている。
【００１９】
無線部１４は、アンテナと送受信部から構成され、無線基地局との通信を行う。受信した受信データの中には、呼び出し信号やチャンネル情報、音声データや文字データ及び画像データ、通信相手の電話番号やメールアドレス等の個人情報データが含まれており、その受信データを増幅・復調し、制御部１１へ受信信号として送出する事で、制御部１１が着信検知や通信相手の特定を可能とする。
【００２０】
制御部１１は着信を検知すると、スピーカ１６やバイブレータ１７を駆動させ、音や振動により着信を報知する他、受信信号内の個人情報データと内部メモリ１２内の電話帳データベースの個人電話帳データを照合して、登録されている通信相手の名前を液晶表示部１９に表示し、使用者に通信相手を報知する。
なお、本発明は、図１に示す全ての構成要素を含む必要はない。
【００２１】
次に、本実施形態に係る携帯電話機１の動作について説明する。まず、音声発信やメール送信などの上り通信時の処理に関して、図２を参照して説明する。
【００２２】
図２において、使用者の音声発信かメール送信相手の電話番号や名前・メールアドレス等の個人電話帳データが、以前に使用者のキー操作部１８等により携帯電話機１の内部メモリ１２の電話帳データベースに登録されてある場合には（ステップＳ２０）、使用者はフリガナや名前・電話番号などの検索により電話帳データベースから通信相手の電話番号を呼び出し、音声発信の準備を行うか、又は、メール作成時の宛先部にメールアドレスを入力しメール送信の準備を行う（ステップＳ２１）。
【００２３】
携帯電話機１の内部メモリ１２内に保存されている莫大な電話帳データベースの中で、実際に現在でも通話やメールの送受信を継続している通信相手の電話番号や名前・メールアドレス等の個人電話帳データのみＳＩＭカードや外部メモリカード等の外部メモリ１３に保存し、必要最低限の個人電話帳データのバックアップ及びメンテナンスを行うことを目的として、前記プログラムの実行設定を使用者がＯＮにしていれば（ステップＳ２２）、発信準備後の発信ボタン押下、又は、メール送信準備後のメール送信ボタン押下（ステップＳ２３）したタイミングで処理実行が行われ、予め選択されている所定の外部メモリ１３へ通信相手の個人電話帳データの保存が実行される（ステップＳ２４）。
【００２４】
前記プログラムの実行設定を使用者がＯＦＦにしていれば（ステップＳ２２）、当然、外部メモリ１３へ通信相手の個人電話帳データの保存が実行されることなく、発信（呼出）開始／メール送信開始（ステップＳ２５）される。
【００２５】
通信相手の個人電話帳データが、携帯電話機１の内部メモリ１２の電話帳データベースに登録されていない場合には（ステップＳ２０）、外部メモリ１３への個人電話帳データ保存設定ＯＮ／ＯＦＦに関わらず（ステップＳ２７）、前記プログラムの実行は成されない（ステップＳ２９）。
【００２６】
次に、音声着信やメール受信などの下り通信時の処理に関して、図３を参照して説明する。
【００２７】
図３において、使用者が音声着信やメール受信などを受けた際、下り通信時の受信したデータ内には通信相手の電話番号やメールアドレス等の個人電話帳データが含まれている。受信を検知したタイミングで（ステップＳ３０）、その受信データの内容と同一の個人電話帳データが内部メモリ１２の電話帳データベースに登録されており（ステップＳ３１）、且つ、外部メモリ１３への個人電話帳データ保存設定を使用者がＯＮにしていれば（ステップＳ３２）、通信相手の電話番号や名前・メールアドレス等の個人電話帳データを予め選択されている所定の外部メモリ１３への保存処理が実行される（ステップＳ３３）。
【００２８】
通信相手の個人電話帳データが、携帯電話機１の内部メモリ１２の電話帳データベースに登録されていない場合には（ステップＳ３０）、上り通信時と同様に、外部メモリ１３への個人電話帳データ保存設定ＯＮ／ＯＦＦに関わらず（ステップＳ３５）、前記プログラムの実行は成されない（ステップＳ３６）。
【００２９】
これにより、使用者が意識して電話帳データのバックアップ動作を実行しなくても、使用者が音声発信・音声着信・メール送信・メール受信した際に、必要最低限の個人電話帳データの自動バックアップと、メンテナンスされた電話帳データのデータベース作成が実現出来る。
【００３０】
上述した本実施形態の効果について説明する。第１の効果は、名前／電話番号／メールアドレス等の個人電話帳データが、使用者の意識的な操作を必要とせず自動的に必要最低限のバックアップが実現するという点にある。また、その結果として使用者の使い勝手が改善される。また、第２の効果は、実際に現在でも音声発着信やメール送受信をする相手の個人電話帳データと、ただ記憶されているだけの個人電話帳データの区別が可能となり、自動的にメンテナンスが実現するという点にある。
【００３１】
［第２の実施形態］
本実施形態は、第１の実施形態の構成に加え、携帯電話機１が音声発信やメール送信を行う際に、ＳＩＭカードや外部メモリカード内の個人電話帳データから、電話番号やメールアドレスなど、相手先を特定するために必要な情報を、利用者が選択可能に提示する機能を備える。
【００３２】
具体的には、次の機能である。まず、制御部１１が、音声通信の発信やメールの送信時に、通信相手をどの電話帳データベースから読み出すかを使用者に選ばせるための問い合わせ画面を液晶表示部１９に表示させる。そして、使用者が外部メモリ１３から宛先データを読み出すことを選択した場合、制御部１１は、外部メモリ１３内に構築済みの電話帳データベースから通信相手の宛先データを読み出して、使用者に提示する。使用者がその宛先データを用いて音声通信の発信やメールの送信を指示する操作をキー操作部１８を用いて行うと、制御部１１は、無線部１４に当該通信動作を実行させる。
【００３３】
上述した本実施形態の効果について説明する。本実施形態の効果は、メンテナンスされたＳＩＭカードや外部メモリカード内の個人電話帳データからも、使用者が音声発信やメール送信を行う際に相手先を選択可能な機能を有するため、不必要な個人電話帳データが存在していない関係上、使用者にとって検索が容易になり、使用者の操作性が非常に改善される点にある。
【００３４】
［第３の実施形態］
上述した第１の実施形態のプログラム実行によってＳＩＭカードや外部メモリカードなどの外部メモリ１３にバックアップやメンテナンスをした個人電話帳データも、結局は、使用者が長らく放置してしまえば携帯電話機の内部メモリ１２内の電話帳データベースと何ら変わらないものになってしまう。
【００３５】
それを解決する為に、更に、ＳＩＭカードや外部メモリカード内の個人電話帳データの保存期間を設定出来る様にする。
その実行される処理について図４に示すフローチャートに基づいて説明する。
【００３６】
使用者が通信相手の電話番号や名前・メールアドレス等の個人電話帳データをＳＩＭカードや外部メモリカード等の外部メモリ１３に保存する機能の設定をＯＮ／ＯＦＦした際に（ステップＳ４０）、ＯＮであれば更に、外部メモリ１３内に保存可能な期間の設定を行う（ステップＳ４１）。なお、ここでは、例として１年の設定で説明する。しかし、保存可能な期間の設定は、１年に限定されるものではない。
【００３７】
着信がかかり（ステップＳ４２）、通信相手の個人電話帳データが所定の外部メモリ１３に保存された際に（ステップＳ４３）、個人電話帳データと紐付いて、保存した日時の時間データも一緒に保存を行う（ステップＳ４３）。保存可能な期間に設定された１年以内に、同一の通信相手と発着信やメール送受信の通信を行った際には（ステップＳ４５）、外部メモリ１３に個人電話帳データと保存した日時の時間データが上書きされ更新される（ステップＳ４３／Ｓ４４）。１年以内に再通信を行わなく、期間が経過した場合には（ステップＳ４６）、外部メモリ１３内の該当の個人電話帳データが自動で削除される（ステップＳ４７）。
【００３８】
本実施形態によれば、一定期間が経過して使用していない宛先データを自動で削除するので、外部メモリ１３に保存した電話帳データベースのメンテナンスが可能となり、不必要なデータによる検索機能の低下、使い勝手の不便さが解決出来る。
【００３９】
なお、上記の各実施形態では、個人電話帳データについて記載したが、個人電話帳データ以外にも、ブックマークの中に登録されているＵＲＬデータのバックアップやメンテナンスにも用いることが可能である。
【図面の簡単な説明】
【００４０】
【図１】本発明の第１の実施形態に係る携帯電話機の概略構成を示すブロック図である。
【図２】本発明の第１の実施形態に係る携帯電話機の動作（上り通信）を示すフローチャートである。
【図３】本発明の第１の実施形態に係る携帯電話機の動作（下り通信）を示すフローチャートである。
【図４】本発明の他の実施形態に係る動作を示すフローチャートである。
【符号の説明】
【００４１】
１    携帯電話機
１１    制御部
１２    内部メモリ
１３    外部メモリ
１４    無線部
１５    時計部
１６    スピーカ
１７    バイブレータ
１８    キー操作部
１９    液晶表示部
【図１】
2009044618.tif 000003
【図２】
2009044618.tif 000004
【図３】
2009044618.tif 000005
【図４】
2009044618.tif 000006